(57)【要約】  基準となるカラーセンサにより、表示部（４０）に表示される原色を測定した結果である色域の基準値を記憶する基準値記憶部（２３）と、表示装置のユーザが、表示装置の校正に用いるカラーセンサにより、表示部に表示される原色を測定した結果である色域の測定値と、基準値記憶部に記憶された色域の基準値との差分を計算する差分計算部（３２）と、ユーザによる校正時に、差分計算部が計算した差分が予め設定された許容値以上となるときに、ユーザに対してカラーセンサの異常を示す警告を出力する出力部（３５）と、を備える。
2012117492.tif 000002
【特許請求の範囲】
【請求項１】
映像を表示する表示部を有する表示装置であって、
基準となるカラーセンサにより、前記表示部に表示される原色を測定した結果である色域の基準値を記憶する基準値記憶部と、
前記表示装置のユーザが、前記表示装置の校正に用いるカラーセンサにより、前記表示部に表示される原色を測定した結果である色域の測定値と、前記基準値記憶部に記憶された色域の基準値との差分を計算する差分計算部と、
前記ユーザによる校正時に、前記差分計算部が計算した前記差分が予め設定された許容値以上となるときに、前記ユーザに対して前記カラーセンサの異常を示す警告を出力する出力部と、
を備えることを特徴とする表示装置。
【請求項２】
前記基準となるカラーセンサ、及び前記表示装置の校正に用いるカラーセンサは、前記表示装置の表示部の色を測色し、国際照明委員会がＣＩＥ１９３１で規定するＸＹＺ表色系に基づいたＸ、Ｙ及びＺを出力するセンサであって、
前記差分計算部が計算に用いる色域の測定値及び色域の基準値は、前記差分計算部が前記Ｘ、Ｙ及びＺを、Ｘ、Ｙ及びＺの比に変換した値である、
ことを特徴とする請求項１に記載の表示装置。
【請求項３】
表示装置のユーザが前記表示装置の校正に用いるカラーセンサの異常を前記ユーザへ警告する表示装置の制御方法であって、
基準となるカラーセンサにより、前記表示装置の表示部に表示される原色を測定し、測定した結果である色域の基準値を基準値記憶部に記憶される第１のステップと、
前記表示装置のユーザが、前記表示装置の校正に用いるカラーセンサにより、前記表示部に表示される原色を測定した結果である色域の測定値と、前記基準値記憶部に記憶された色域の基準値との差分を計算する第２のステップと、
前記ユーザによる校正時に、前記差分が予め設定された許容値以上となるときに、前記ユーザに対して前記カラーセンサの異常を示す警告を出力する第３のステップと、
を有することを特徴とする表示装置の制御方法。
【発明の詳細な説明】
【技術分野】
【０００１】
本発明は、表示装置の表示部に表示される画像の色度及び輝度を、外部センサにより検出し、色度及び輝度を校正する機器を備えた表示装置、及びその表示装置の制御方法に関する。
【背景技術】
【０００２】
表示装置を校正するため、表示部に表示される画像の色度及び輝度を検出するセンサとしては、簡易的なカラーセンサ（以下、簡易センサとする）がもっぱら利用されている。簡易センサは、表示装置の性能を左右する重要な部品である。
このため、簡易センサの個体差、経年劣化などによって、測定した色度及び輝度における測色誤差が一定以上になったこと、あるいは変化状態を、利用者に警告することが望ましい。【０００３】
しかし、例えば表示装置で基準色（例えば３原色であるＲ、Ｇ及びＢ）を表示し、簡易センサにより表示された色を測色する場合、簡易センサが予め設定される基準値と大きく異なる出力値（例えば、ＣＩＥ１９３１のＸＹＺ表色系で規定されるＸ、Ｙ及びＺ値）を出力しても、この原因が表示装置の表示誤差であるのか、或いは、簡易センサの測色誤差であるのかについて判断できなかった。
これは、表示装置及び簡易センサともに信頼性が低いことが原因である。
なお、関連する技術として、下記特許文献１に、センサの出力値により表示装置の色度を補正する技術が示されている。
【先行技術文献】
【特許文献】
【０００４】
【特許文献１】特開２００５−４９６０９号公報
【発明の概要】
【発明が解決しようとする課題】
【０００５】
解決しようとする問題点は、表示装置及び簡易センサともに信頼性が低いため、簡易センサが予め設定される基準値と大きく異なる出力値を出力した場合、この原因が表示装置の表示誤差であるのか、或いは、簡易センサの測色誤差であるのかについて、表示装置のユーザが判断できないという点にある。
【課題を解決するための手段】
【０００６】
本発明は、映像を表示する表示部を有する表示装置であって、基準となるカラーセンサにより、前記表示部に表示される原色を測定した結果である色域の基準値を記憶する基準値記憶部と、前記表示装置のユーザが、前記表示装置の校正に用いるカラーセンサにより、前記表示部に表示される原色を測定した結果である色域の測定値と、前記基準値記憶部に記憶された色域の基準値との差分を計算する差分計算部と、前記ユーザによる校正時に、前記差分計算部が計算した前記差分が予め設定された許容値以上となるときに、前記ユーザに対して前記カラーセンサの異常を示す警告を出力する出力部と、を備えることを特徴とする。【０００７】
また、本発明の表示装置において、前記基準となるカラーセンサ、及び前記表示装置の校正に用いるカラーセンサは、前記表示装置の表示部の色を測色し、国際照明委員会がＣＩＥ１９３１で規定するＸＹＺ表色系に基づいたＸ、Ｙ及びＺを出力するセンサであって、前記差分計算部が計算に用いる色域の測定値及び色域の基準値は、前記差分計算部が前記Ｘ、Ｙ及びＺを、Ｘ、Ｙ及びＺの比に変換した値である、ことを特徴とする。【０００８】
また、本発明は、表示装置のユーザが前記表示装置の校正に用いるカラーセンサの異常を前記ユーザへ警告する表示装置の制御方法であって、基準となるカラーセンサにより、前記表示装置の表示部に表示される原色を測定し、測定した結果である色域の基準値を基準値記憶部に記憶される第１のステップと、前記表示装置のユーザが、前記表示装置の校正に用いるカラーセンサにより、前記表示部に表示される原色を測定した結果である色域の測定値と、前記基準値記憶部に記憶された色域の基準値との差分を計算する第２のステップと、前記ユーザによる校正時に、前記差分が予め設定された許容値以上となるときに、前記ユーザに対して前記カラーセンサの異常を示す警告を出力する第３のステップと、を有することを特徴とする。
【発明の効果】
【０００９】
本発明によれば、表示装置の色校正に用いる簡易センサが予め設定される基準値と大きく異なる出力値を出力した場合であっても、簡易センサの測色誤差であるのか否かについて、表示装置のユーザに警告でき、表示装置のユーザは簡易センサ使用の可用性を判断できる利点がある。
【図面の簡単な説明】
【００１０】
【図１】この本発明の一実施形態における表示装置の構成を示す概略ブロック図である。
【図２】図１に示す第１記憶部２３が記憶するデータのデータ構造を示す図である。
【図３】図１に示すＭＰＵ３２が算出したｘ、ｙ及びｚ値を表した図である。
【図４】図１に示すＭＰＵ３２の他の判定方法を説明するためのｘｙ色度図である。
【発明を実施するための形態】
【００１１】
以下、本発明の一実施形態による表示装置について図面を参照して説明する。図１は、この発明の一実施形態による表示装置を適用した液晶表示装置１００の構成を示す概略ブロック図である。
液晶表示装置１００は、制御部３０、及び液晶表示部４０から構成される。
制御部３０は、入力される映像信号に応じた画像を液晶表示部４０に表示させる。
液晶表示部４０は、液晶表示パネル（不図示）が設けられており、制御部３０からの指示に応じた輝度及び色度に従い、画像を表示する。
また、図１において、液晶表示装置１００とともに、センサ１０が示されている。センサ１０は、液晶表示部４０が表示し得るＲＧＢ表色系の３原色であるＲ（赤）、Ｇ（緑）及びＢ（青）を、それぞれ、ＸＹＺ表色系で表わされるＸ、Ｙ及びＺ値（ＸＹＺ値）に変換し、出力する。ＸＹＺ表色系とは、国際照明委員会（ＣＩＥ：Commission Internationaled'Eclairage）が１９３１年にＲＧＢ表色系とともに定めた表色系である。
【００１２】
なお、センサ１０は、それを用いるユーザが表示装置１００の製造者である場合の基準センサ１０ａ（基準となるセンサ）と、ユーザが表示装置１００の購入者である場合の簡易センサ１０ｂ（簡易センサ）とを、併せて示している。
また、基準センサ１０ａ及び簡易センサ１０ｂは、例えば、赤色（中心波長が約６２０ｎｍ（ナノメートル））、青色（中心波長が約５５５ｎｍ）、および緑色（中心波長が約４５０ｎｍ）の単色の３つのカラーフィルタ（Ｘ、Ｙ及びＺフィルタ）、３つのフォトダイオード（各単色用に設けられる基準センサ１０ａ及び簡易センサ１０ｂの受光部）、並びに、ＡＤ（Analog Digital）コンバータおよび演算器により構成されている。
【００１３】
制御部３０は、操作部２１、通信部２２、第１記憶部２３、第２記憶部２４、ＭＰＵ３２、映像信号コントローラ３３、ＯＳＤ機能部３５及びバックライトコントローラ３４を備えている。
操作部２１は、ユーザからの指令を受け付け、指令に対応する信号をＭＰＵ３２（ＭＰＵ：Micro Processor Unit）に出力する。
通信部２２は、基準センサ１０ａまたは簡易センサ１０ｂへ、ＭＰＵ３２からの測色を開始させる命令を示す制御信号を出力する。基準センサ１０ａまたは簡易センサ１０ｂは、この制御信号が入力されると、液晶表示部４０の表示部を測色し、測色結果であるＸ、Ｙ及びＺ値を通信部２２に出力する。通信部２２は、このＸ、Ｙ及びＺ値をＭＰＵ３２に出力する。なお、基準センサ１０ａまたは簡易センサ１０ｂと通信部２２の間は、例えばＵＳＢケーブルで接続され、制御信号及びＸ、Ｙ及びＺ値の授受が行われる。
【００１４】
ＭＰＵ３２は、表示装置１００の各部を制御する機能を有するとともに、操作部２１から入力される、ユーザ（表示装置１００の製造者、表示装置１００の購入者）からの表示校正処理を開始する指令に対応して、上述した通信部２２と基準センサ１０ａまたは簡易センサ１０ｂとの間の制御信号及びＸ、Ｙ及びＺ値の授受を制御する機能を有する。
また、ＭＰＵ３２は、ユーザ（表示装置１００の製造者）からの表示校正処理を開始する指令に対応して基準センサ１０ａが出力するＸＹＺ値を、例えば、ＣＩＥ１９３１で規定されるｘｙＹ表色系で表わされるｘ、ｙ及びｚの値に変換し、第１記憶部へ記憶させる。
また、ＭＰＵ３２は、ユーザ（表示装置１００の購入者）からの表示校正処理を開始する指令に対応して簡易センサ１０ｂが出力するＸＹＺ値を、ｘ、ｙ及びｚ値に変換する。そして、変換されたｘ、ｙ及びｚと、第１記憶部２３に記憶されたｘ、ｙ及びｚ値とを、それぞれ比較し、簡易センサ１０ｂが劣化したか否かを判定する。
第１記憶部２３は、ＭＰＵ３２が変換したｘ、ｙ及びｚ値を、３原色であるＲ、Ｇ及びＢに関連付けて、記憶する。
第２記憶部２４は、ＭＰＵ３２が比較判定する際に用いる基準値（予め設定された許容値）を記憶する。
【００１５】
映像信号コントローラ３３は、ＭＰＵ３２により制御され、表示装置１００の外部から入力される映像信号を、ＯＳＤ機能部３５に出力する。
ＣＲＴ（Cathode Ray Tube）や液晶ディスプレイ（Liquid Crystal Display：ＬＣＤ）、プラズマディスプレイ（Plasma Display Panel：ＰＤＰ）といった種々の表示装置は、それぞれの表示装置が持つ特性によって固有のガンマ特性、色度特性を有する。ここで、表示装置のガンマ特性とは、入力信号レベルと表示装置の出力輝度との関係を示すものである。一方、色度特性とは、それぞれの表示装置が持つ３ないしそれ以上の原色（例えばＲＧＢ＋白色）の色度のことを指す。表示装置では、通常ＲＧＢの三つの原色を使用するため、色度特性といえばＲＧＢの色度のことを指すのが一般的である。
【００１６】
これらの特性は、表示装置の種類に依存するため、ＣＲＴ、ＬＣＤ及びＰＤＰのそれぞれの方式では、ガンマ特性が大きく異なり、色度特性も異なる。
映像信号コントローラ３３は、ＭＰＵ３２から映像信号調整の指示が出された場合、表示装置のガンマ特性及び色度特性を保持したルックアップテーブルＬＵＴを用いて、入力される映像信号に対して色の変更（ガンマ補正及び色度補正を行い）、変更後の映像信号をＯＳＤ機能部３５に出力する。
また、映像信号コントローラ３３は、表示装置１００の工場出荷時における基準センサ１０ａを用いた色度及び輝度測定のとき、あるいは表示装置１００のユーザが簡易センサ１０ｂを用いて色度及び輝度を測定するとき、ＭＰＵ３２により制御されて、ＯＳＤ機能部３５にテスト映像信号（表示装置１００の３原色であるＲ、Ｇ及びＢ各色の最大階調）を出力する。
【００１７】
バックライトコントローラ３４は、ＭＰＵ３２からの指示に応じて、バックライト駆動部４１を駆動する制御信号を変更する。バックライトコントローラ３４は、例えば、液晶表示部４０のバックライトを構成する光源に冷陰極型蛍光ランプを用いて、これを電流調光型インバータで駆動する場合には、インバータに供給する電流の実効値を変更する。また、光源がＬＥＤである場合には、ＬＥＤ駆動回路に供給する電圧のパルス幅の変更や、電圧のピーク値の変更をする。
【００１８】
ＯＳＤ機能部３５（出力部）は、映像信号コントローラ３３が出力する補正後の映像信号をＬＣＤ駆動部４２に出力し、ＬＣＤ駆動部４２によって液晶パネルを駆動させて各種情報の表示を行う。
また、ＯＳＤ機能部３５は、ＭＰＵ３２の判定結果に基づき、ＭＰＵ３２が、表示装置１００の工場出荷時における基準センサ１０ａを用いた色度及び輝度の測定結果と、表示装置１００のユーザが簡易センサ１０ｂを用いて行った色度の測定結果が一致しないと判定した場合、警報を出力する。この警報の出力方法としては、例えば、後述する液晶表示部４０の画面上のいずれかの位置に警告を出力し、あるいは、映像信号に重ねて表されるＯＳＤに警告を出力することがあげられる。
【００１９】
液晶表示部４０は、バックライト駆動部４１とＬＣＤ駆動部４２とを有し、これら駆動部からの指示に応じて画像を液晶パネル（不図示）上に表示する。バックライト駆動部４１は、バックライトコントローラ３４から供給される制御信号に応じた明るさになるようにバックライトを点灯させる。ＬＣＤ駆動部４２は、ＯＳＤ機能部３５が出力する映像信号に従い、液晶表示部４０の液晶パネルを駆動して画像を表示する。
【００２０】
液晶表示部４０の液晶表示パネルの画素毎には、赤色（Ｒ）フィルタ、青色（Ｂ）フィルタ及び緑色（Ｇ）フィルタからなる３原色フィルタ（Ｒ、Ｇ及びＢフィルタ）を用いたカラーフィルタが、備えられている。
また、バックライトの光源においては、白色光を発光するために、一般的に原色であるＲ、Ｇ及びＢ毎に異なる素材が用いられる。例えば、一般的に用いられる冷陰極管（ＣＣＦＬ）では、Ｒ、Ｇ及びＢ各々に対応する蛍光体を封入して白色光を発光する。或いは、光源として白色ＬＥＤを用いる場合、白色ＬＥＤは、青色ＬＥＤが発光した青い光を黄色の蛍光体（赤及び青を担当する）に当てることで白色を発光する。
【００２１】
ＬＣＤ駆動部４２が、ＯＳＤ機能部３５から入力される補正された映像信号に応じて、液晶表示パネルに設けられたカラーフィルタの透過率を調整する。そして、透過率の調整される３原色フィルタを用いたカラーフィルタが、バックライト駆動部４１により駆動される光源から発光した白色光を透過させ、液晶パネル上に輝度及び色度の補正された映像を表示する。
【００２２】
次に、上記構成の表示装置１００において、ＭＰＵ３２がｘ、ｙ及びｚ値に基づいて、簡易センサ１０ｂの劣化により測色誤差が生じていることを検出する理由について説明する。
本願発明者の研究では、表示装置１００及び簡易センサ１０ｂを構成する光学部材のうち、簡易センサ１０ｂのおける「センサ受光部」の光学安定性が最も高く、「センサ受光部」、「カラーフィルタ」、「光源」の順に安定性が低下する。ここで、「カラーフィルタ」とは、上述の通り、簡易センサ１０ｂにおけるＸ、Ｙ及びＺフィルタ、液晶表示部４０におけるＲ、Ｇ及びＢフィルタを示す。また、「光源」とは、液晶表示部４０におけるＣＣＦＬまたは白色ＬＥＤを示す。
【００２３】
「センサ受光部」は、金属であるシリコンから構成され、その光学的特性は、他の光学的部材に比べて十分に安定である。すなわち、簡易センサ１０ｂ（簡易センサ）であっても、センサ受光部の特性で決定されるリニアリティ（入力輝度に対する出力電圧など）は信頼性が高い。
【００２４】
また、「カラーフィルタ」は上述の通り２種に大別され、表示装置１００にはＲ、Ｇ及びＢフィルタが、簡易センサ１０ｂにはＸ、Ｙ及びＺフィルタが用いられる。
ここで、Ｘ、Ｙ及びＺフィルタは、ＣＩＥ１９３１の規定を遵守するため、一般的には、その物理特性が脆弱になりやすい。つまり、Ｘ、Ｙ及びＺフィルタは、カラーフィルタを構成する有機色素が、紫外線への暴露や湿気による加水分解のため化学変化するため、退色、色褪せ、黄変しやすい、つまり、劣化しやすい。この劣化特性は、フィルタの素材ごとに異なるため、Ｘ、Ｙ及びＺフィルタはそれぞれ異なる劣化特性を持つ。
【００２５】
すなわち、Ｘ、Ｙ及びＺフィルタは、カラーフィルタ部の経年劣化により、Ｘ、Ｙ及びＺの出力が、互いに独立に変化する（Ｘ／Ｙなどの出力Ｘ、Ｙ及びＺの比が変化する）ことが特徴である。
本願発明者は、Ｘ、Ｙ及びＺフィルタがそれぞれ異なる劣化特性を持ち、簡易センサ１０ｂにおいて出力Ｘ、Ｙ及びＺの比が変化することが、簡易センサ１０ｂの劣化または故障の主原因であると考える。
【００２６】
また、「光源」は、上述の通り、原色であるＲ、Ｇ及びＢごとに異なる素材が用いられる。また、「光源」は、電力が投入されるためエネルギ密度が高く、自己発熱するため、光学部材の中では最も劣化しやすい。
この劣化特性は、光源の素材ごとに異なるため、表示装置１００の表示画面において、３原色であるＲ、Ｇ及びＢの輝度、並びに出力Ｒ、Ｇ及びＢの比（出力Ｒに対する出力Ｂの比など）が変化する。例えば、表示装置１００の表示画面において、白色色度の黄変などの経年劣化を引き起こす。
本願発明者は、光源が発光する白色光に含まれる３原色Ｒ、Ｇ及びＢを生成する光源の部材がそれぞれ異なる劣化特性を持つことが、このような表示装置１００の経年劣化の主原因であると考える。そのため、簡易センサ１０ｂによる表示装置１００の輝度及び色度の校正が必要であると考える。
【００２７】
次に、上記構成の表示装置１００において、簡易センサ１０ｂが出力するＸ、Ｙ及びＺ値から変換されたｘ、ｙ及びｚ値各々と、第１記憶部２３に記憶されたｘ、ｙ及びｚ値各々とを、比較し、簡易センサ１０ｂが劣化したか否かを判定できる原理について説明する。
ｘ、ｙ、ｚ値は、ＣＩＥ１９３１規定により、センサ１０（基準センサ１０ａ及び簡易センサ１０ｂ）が出力するＸ、Ｙ及びＺ値を用いて、以下の様に表わされる。
ｘ＝Ｘ／（Ｘ＋Ｙ＋Ｚ）、ｙ＝Ｙ／（Ｘ＋Ｙ＋Ｚ）、ｚ＝１−（ｘ＋ｙ）である。
これらのｘ、ｙ及びｚ値（以下、ｘｙ値）は、センサ１０（基準センサ１０ａ及び簡易センサ１０ｂ）の出力Ｘ、Ｙ及びＺの比を示している。例えば、ｘは、（１−ｙ−ｚ）として表わすことができ、出力Ｘ，Ｙ及びＺの比を示している。以下、出力Ｘ、Ｙ及びＺの比を、ＸＹＺ比と呼ぶことにする。
【００２８】
ところで、表示装置１００の色域端部となる原色（３原色Ｒ、Ｇ及びＢそれぞれの最大階調など）を、液晶表示部４０に表示させた場合、液晶表示部４０に表示される表示色は、「光源」の発光する白色光に含まれる一つの原色（単色）の輝度を有する色となる。
ここで、例えば、３原色Ｒを表示させる場合、光源が発光する白色に含まれるＧ及びＢ成分は、液晶表示部４０における「カラーフィルタ」に遮断され、簡易センサ１０ｂには到達しない。
このため、「光源」の経年劣化により表示装置１００の表示画面において生じる、出力Ｒ、Ｇ及びＢの比の変化は、３原色のうちの一色しか到達しない簡易センサ１０ｂのＸＹＺ比に影響を与えることはない。
また、「光源」の経年劣化により表示装置１００の表示画面において生じる輝度低下も、簡易センサ１０ｂの出力Ｘ、Ｙ及びＺ各々に共通に現れるため、簡易センサ１０ｂのＸＹＺ比に影響を与えることはない。
【００２９】
すなわち、液晶表示部４０に原色を表示させたとき、簡易センサ１０ｂのＸＹＺ比は表示装置１００の経年劣化の影響を受けず、簡易センサ１０ｂが劣化していない場合、一定となる。
上述の通り、ＸＹＺ比が変化する要因のうち、表示装置１００が備える「光源」の劣化以外の要因は、簡易センサ１０ｂの「センサ受光部」の特性劣化、或いは、Ｘ、Ｙ及びＺフィルタの特性劣化である。このうち、「センサ受光部」の信頼性は上述のとおり高いため、ＸＹＺ比の変化は、簡易センサ１０ｂの「カラーフィルタ」の故障または劣化を反映していると考えられる。
【００３０】
そこで、本発明の表示装置１００においては、ＭＰＵ３２が、簡易センサ１０ｂが出力するＸ、Ｙ及びＺ値から変換されたｘ、ｙ及びｚ値各々と、第１記憶部２３に記憶されたｘ、ｙ及びｚ値各々とを、比較し、簡易センサ１０ｂが劣化したか否かを判定する。
そのため、表示装置１００のユーザは、基準となる基準センサ１０ａを所持していなくとも、簡易センサ１０ｂを所持していれば、これを用いて表示装置１００の表示を測色することで、その簡易センサ１０ｂの出力の信頼性があるか否かを判断できる。そして、信頼性がない場合、簡易センサ１０ｂを使用すべきか否か、つまり、簡易センサ１０ｂの使用の可用性を判断できることになる。
【００３１】
続いて、簡易センサ１０ｂの「カラーフィルタ」の特性劣化を検出する処理のフローを構成する手順１〜手順８について、図２及び図３を用いて説明する。
図２は、第１記憶部２３が記憶するデータのデータ構造を示す図である。第１記憶部２３は、「測定／表示色」、「ＸＹＺ比」からなる項目を有する。この図は、基準センサ１０ａが測定したＸ、Ｙ及びＺ値に基づいて、ＭＰＵ３２が算出したｘ、ｙ及びｚ値（ＸＹＺ比）を、「測定／表示色」で示す３原色のＲ、Ｇ及びＢ各々について２次元的に表した図である。例えば、第１記憶部２３において、３原色のＲのｘ値として、０．５４６が記憶されていることを示している。
また、図３は、簡易センサ１０ｂが測定したＸ、Ｙ及びＺ値に基づいて、ＭＰＵ３２が算出したｘ、ｙ及びｚ値を、３原色のＲ、Ｇ及びＢ各々について２次元的に表した図である。
【００３２】
まず、以下の手順１〜手順４により、表示装置１００の工場出荷前に、基準センサ１０ａを用いて、表示装置１００の色域を、第１記憶部２３に記憶させる。
ユーザ（表示装置１００の製造者）は、基準センサ１０ａをＵＳＢケーブルを介して通信部２２に接続し、次に、操作部２１を介してＭＰＵ３２に表示校正処理を開始する指令を入力する。
【００３３】
（手順１）
ＭＰＵ３２は、まず、表示装置１００の色域端部となる３原色のＲに対応するするテスト信号を映像信号コントローラ３３に送信する。映像信号コントローラ３３は、ＯＳＤ機能部３５を制御して、ＬＣＤ駆動部４２にＲの最大階調に対応する画像を液晶表示部４０に表示させる。
これにより、液晶表示部４０の画面には、一面にＲ色の画像が表示される。
【００３４】
（手順２）
ＭＰＵ３２は、通信部２２を介して、基準センサ１０ａが出力するＸ、Ｙ及びＺ値を受信し、これら３値をいったん、例えばＭＰＵ３２内部のＲ、Ｇ及びＢ毎に対応して設けられる第１レジスタＲｇ１に、Ｒに応じたＸ、Ｙ及びＺ値を記憶する。
所定期間、Ｒ色の画像を表示し、Ｘ、Ｙ及びＺ値を取得した後、制御部は、３原色のＧ、Ｂについても、手順１及び手順２を実行し、それぞれの色に対応するＸ、Ｙ及びＺ値を取得し、Ｇ及びＢ毎にＸ、Ｙ及びＺ値を、第１レジスタＲｇ１に一時的に記憶させる。
【００３５】
（手順３）
ＭＰＵ３２は、取得した原色毎に、第１レジスタＲｇ１からＸ、Ｙ及びＺ値を読み出し、これらの値からＣＩＥ基準１９３１のｘｙＹ表色系で規定されるｘ、ｙ及びｚ値を算出し、例えばＭＰＵ３２内部のＲ、Ｇ及びＢ毎に対応して設けられる第２レジスタＲｇ２に、各原色に応じたｘ、ｙ及びｚ値を記憶させる。
【００３６】
（手順４）
ＭＰＵ３２は、第２レジスタＲｇ２から、Ｒ、Ｇ及びＢ毎にｘ、ｙ、及びｚ値を読み出し、これらのデータを、第１記憶部２３に記憶させる。
図２に示す様に、第１記憶部２３は、表示装置１００が表示する原色Ｒに応じたｘ＝０．６８３、ｙ＝０．３０７及びｚ＝０．０１０を記憶する。また、第１記憶部２３は、表示装置１００が表示する原色Ｇに応じたｘ＝０．１９６、ｙ＝０．７００及びｚ＝０．１０４を記憶する。また、第１記憶部２３は、表示装置１００が表示する原色Ｂに応じたｘ＝０．１５１、ｙ＝０．０５４及びｚ＝０．７９５を記憶する。
なお、第１記憶部２３は、例えばＥＥＰＲＯＭ等の不揮発性メモリで構成され、各原色に応じたｘ、ｙ、及びｚ値を記憶する。また、記憶したｘ、ｙ及び値は、表示装置１００の工場からの出荷後において書き換えることができないものとする。
【００３７】
続いて、表示装置１００の工場出荷後に、ユーザ（表示装置１００の購入者）が、簡易センサ１０ｂを用いて、表示装置１００の色域を校正する際、以下の手順５〜手順８により、第１記憶部２３に記憶したデータと、簡易センサ１０ｂにより測定したデータとの比較、判定を行う。
ユーザ（表示装置１００の購入者）は、簡易センサ１０ｂをＵＳＢケーブルを介して通信部２２に接続し、次に、操作部２１を介してＭＰＵ３２に表示校正処理を開始する指令を入力する。
【００３８】
（手順５）
上記手順１と同様な手順を行い、液晶表示部４０の画面には、一面にＲ色の画像が表示される。
（手順６）
ＭＰＵ３２は、通信部２２を介して、簡易センサ１０ｂが出力するＸ、Ｙ及びＺ値を受信し、これら３値をいったん、例えばＭＰＵ３２内部のＲ、Ｇ及びＢ毎に対応して設けられる第１レジスタＲｇ１（手順２と同じレジスタであってよい）に、Ｒに応じたＸ、Ｙ及びＺ値を記憶する。
所定期間、Ｒ色の画像を表示し、Ｘ、Ｙ及びＺ値を取得した後、制御部は、３原色のＧ、Ｂについても、手順１及び手順２を実行し、それぞれの色に対応するＸ、Ｙ及びＺ値を取得し、Ｇ及びＢ毎にＸ、Ｙ及びＺ値を、第１レジスタＲｇ１に一時的に記憶させる。
【００３９】
（手順７）
ＭＰＵ３２は、取得した原色毎に、第１レジスタＲｇ１からＸ、Ｙ及びＺ値を読み出し、これらの値からＣＩＥ基準１９３１のｘｙＹ表色系で規定されるｘ、ｙ及びｚ値を算出し、例えばＭＰＵ３２内部のＲ、Ｇ及びＢ毎に対応して設けられる第２レジスタＲｇ２（手順３と同じレジスタであってよい）に、各原色に応じたｘ、ｙ及びｚ値を記憶させる。
ＭＰＵ３２は、図３に示す様に、例えば、表示装置１００が表示する原色Ｒに応じたｘ＝０．５４６、ｙ＝０．４３７及びｚ＝０．０１７を算出し、内部の第２レジスタＲｇ２に記憶する。また、ＭＰＵ３２は、表示装置１００が表示する原色Ｇに応じたｘ＝０．１４０、ｙ＝０．７８１及びｚ＝０．０７９を算出し、内部の第２レジスタＲｇ２に記憶する。また、ＭＰＵ３２は、表示装置１００が表示する原色Ｂに応じたｘ＝０．１３９、ｙ＝０．０５８及びｚ＝０．８０３を算出し、内部の第２レジスタＲｇ２に記憶する。
【００４０】
（手順８）
ＭＰＵ３２は、第２レジスタＲｇ２から、Ｒ、Ｇ及びＢ毎にｘ、ｙ、及びｚ値を読み出し、これらのデータ各々と、第１記憶部２３が記憶する対応するデータの差分を算出し、ＭＰＵ３２内部のＲ、Ｇ及びＢ毎に対応して設けられる第３レジスタＲｇ３に、各原色に応じたΔｘ、Δｙ及びΔｚ値を記憶させる。
例えば、表示装置１００がＲ色を表示したときのｘ値は、ｘ＝０．５４６であり、第１記憶部２３が記憶する対応するｘ値はｘ＝０．６８３である。ＭＰＵ３２は、両データの差分である絶対値Δｘ＝０．１３７を算出し、内部の第３レジスタＲｇ３に記憶させる。
【００４１】
次に、ＭＰＵ３２は、第３レジスタＲｇ３に記憶されたデータ各々が、第２記憶部２４に予め設定されたデータ以下にあるか否かを判定する。
第２記憶部２４に予め設定されるデータは、例えば０．０１であり、この値は表示装置１００を１万時間使用した時に、表示装置１００そのものの経年劣化（光源などの劣化）を想定して求められた色域変化量（変化許容量）である。
上記例では、表示装置１００がＲ色を表示したときにΔｘ＞０．０１であるので、変化許容量を超えていることになる。
このΔｘが変化許容量を超えていることは、上述の通り、表示装置１００の光源等の経年劣化に起因するものでなく、簡易センサ１０ｂの故障または劣化に起因するものである。
【００４２】
ＭＰＵ３２は、第３レジスタＲｇ３に記憶されたデータのうち、第２記憶部２４に予め設定されたデータ以上のものが一つでもあれば、ユーザに簡易センサ１０ｂの異常を知らせるための制御信号をＯＳＤ機能部３５に出力する。ＯＳＤ機能部３５は、この制御信号が入力されると、ＬＣＤ駆動部４２によって液晶パネルを駆動し、画面上に「簡易センサ１０ｂの測定値を校正に用いるのはふさわしくない」、或いは「簡易センサ１０ｂの故障」といった旨をＯＳＤ表示させ、ユーザに簡易センサ１０ｂの故障（劣化）を周知させる。
なお、第３レジスタＲｇ３に記憶されたデータ全てが、第２記憶部２４に予め設定されたデータ以下であれば、画面上に「簡易センサ１０ｂの測定値を校正に用いるのは適当である」、或いは「簡易センサ１０ｂは正常」といった旨をＯＳＤ表示させてもよい。
【００４３】
その他の実施形態として、上記手順１〜８の手順４を省略し、手順８において、ｓＲＧＢなどの規格値（ＲＧＢ色空間に関する規格の規格値）と比較する構成としてもよい。
また、上記実施形態の説明において、ＭＰＵ３２は、第１記憶部２３に記憶された基準値と簡易センサ１０ｂによる測定値の変換後の値との差分を算出し、算出した差分が、第２記憶部２４に記憶された判定値以下か否かを判定した。この差分の計算の際、表示装置１００の色域を示す三角形の頂点変化量（頂点間の距離）を計算し、故障判定に用いる値としてもよい。
図４は、図２及び図３に示したｘｙ値（ｘ及びｙ値）を２次元にプロットしたグラフである。
図４は、表示装置１００が３原色であるＲ、Ｇ、及びＢ各々を表示したときのセンサ１０（基準センサ１０ａ及び簡易センサ１０ｂ）の出力をｘ及びｙに変化した値（ｘｙ値）を頂点とする三角形（表示装置１００の色域）を示している。
ＭＰＵ３２は、３原色Ｒ、Ｇ及びＢ各々に対応する頂点の距離を算出し、この算出した値が、第２記憶部に予め設定された色域変化量（変化許容量）より、大きい場合、ユーザに簡易センサ１０ｂの異常を知らせるための制御信号をＯＳＤ機能部３５に出力する構成としてもよい。
また、カラーセンサが出力するＸＹＺ比の表現方法は一意ではない。本文で説明したＣＩＥ１９３１規格ｘｙ値以外にも、例えばＣＩＥ１９７６規格ｕ’ｖ’値、Ｌａｂ表色系ａ，ｂ値などがあり、本提案法はいずれの表現方法に対しても適用することができる。
また、第１記憶部２３及び第２記憶部２４に設定されるデータは、直接ＸＹＺ値としてもよく、また前述のようなＸＹＺ比を示す値としても良い。
また、通常、表示装置の校正は、パソコンに接続されたカラーセンサと、パソコン内の制御ソフトウェアとで行われる。よって、本発明は、表示装置と分離されたソフトウェアで実施する構成としても良い。
【００４４】
以上説明した本実施形態の説明によれば、表示装置の色校正に用いる簡易センサが予め設定される基準値と大きく異なる出力値を出力した場合、簡易センサの測色誤差であるのか否かについて表示装置のユーザに警告できる。そのため、表示装置のユーザは簡易センサ使用の可用性を判断できる利点がある。
【産業上の利用可能性】
【００４５】
上述した表示装置は、安定した色再現を行う表示装置が必要な業界、例えば、グラフィックデザイン、印刷所、医療用ディスプレイの分野に適用できる。
【符号の説明】
【００４６】
１００  表示装置
１０  センサ
１０ａ  基準センサ
１０ｂ  簡易センサ
２１  操作部
２２  通信部
２３  第１記憶部
２４  第２記憶部
３０  制御部
３２  ＭＰＵ
３３  映像信号コントローラ
ＬＵＴ  ルックアップテーブル
３４  バックライトコントローラ
３５  ＯＳＤ機能部
４０  液晶表示部
４１  バックライト駆動部
４２  ＬＣＤ駆動部
Ｒｇ１  第１レジスタ
Ｒｇ２  第２レジスタ
Ｒｇ３  第３レジスタ
【図１】
2012117492.tif 000003
【図２】
2012117492.tif 000004
【図３】
2012117492.tif 000005
【図４】
2012117492.tif 000006
【手続補正書】
【提出日】平成25年8月28日(2013.8.28)
【手続補正１】
【補正対象書類名】特許請求の範囲
【補正対象項目名】全文
【補正方法】変更
【補正の内容】
【特許請求の範囲】
【請求項１】
基準カラーセンサにより、画面に表示される原色を測定した結果である色域の基準値を記憶する基準値記憶部と、
校正用カラーセンサにより、画面に表示される原色を測定した結果である色域の測定値と、前記基準値記憶部に記憶された色域の基準値との差分を計算する差分計算部と、
色域の測定値と色域の基準値との差分が予め設定された閾値以上となるときに、校正用カラーセンサの劣化を示す警告を出力する出力部と、
を備えることを特徴とする表示装置。
【請求項２】
前記基準カラーセンサ、及び前記校正用カラーセンサの各々は、画面の表示色を測色し、ＣＩＥ１９３１で規定するＸＹＺ表色系に基づいたＸ、Ｙ及びＺ値を出力するものであって、
色域の測定値及び色域の基準値は前記Ｘ、Ｙ及びＺ値に基づくＸ、Ｙ及びＺ値の比である、
ことを特徴とする請求項１に記載の表示装置。
【請求項３】
校正用カラーセンサの劣化を示す警告を出力する表示装置の制御方法であって、
基準カラーセンサにより、画面に表示される原色を測定して、色域の基準値を基準値記憶部に記憶し、
前記校正用カラーセンサにより、画面に表示される原色を測定した結果である色域の測定値と、前記基準値記憶部に記憶された色域の基準値との差分を計算し、
色域の測定値と色域の基準値との差分が予め設定された閾値以上となるときに、前記校正用カラーセンサの劣化を示す警告を出力する
ことを特徴とする表示装置の制御方法。
【手続補正２】
【補正対象書類名】明細書
【補正対象項目名】０００６
【補正方法】変更
【補正の内容】
【０００６】
本発明は、基準カラーセンサにより、画面上に表示される原色を測定した結果である色域の基準値を記憶する基準値記憶部と、校正用カラーセンサにより、画面上に表示される原色を測定した結果である色域の測定値と、基準値記憶部に記憶された色域の基準値との差分を計算する差分計算部と、色域の測定値と色域の基準値との差分が予め設定された閾値以上となるときに、校正用カラーセンサの劣化を示す警告を出力する出力部とを備える表示装置である。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】変更
【補正の内容】
【０００８】
本発明は表示装置の制御方法であって、基準カラーセンサにより画面上に表示される原色を測定して、色域の基準値を基準値記憶部に記憶し、校正用カラーセンサにより画面上に表示される原色を測定した結果である色域の測定値と、基準値記憶部に記憶された色域の基準値との差分を計算し、色域の測定値と色域の基準値との差分が予め設定された閾値以上となるときに、校正用カラーセンサの劣化を示す警告を出力する。
【手続補正５】
【補正対象書類名】明細書
【補正対象項目名】００１０
【補正方法】変更
【補正の内容】
【００１０】
【図１】この本発明の一実施形態における表示装置の構成を示す概略ブロック図である。
【図２】図１に示す第１記憶部が記憶するデータのデータ構造を示す図である。
【図３】図１に示すＭＰＵが算出したｘ、ｙ及びｚ値を表した図である。
【図４】図１に示すＭＰＵの他の判定方法を説明するためのｘｙ色度図である。
【手続補正６】
【補正対象書類名】明細書
【補正対象項目名】００１１
【補正方法】変更
【補正の内容】
【００１１】
以下、本発明の一実施形態による表示装置について図面を参照して説明する。図１は、この発明の一実施形態による表示装置を実現した液晶表示装置１００の構成を示す概略ブロック図である。
液晶表示装置１００は、制御部３０、及び液晶表示部４０から構成される。
制御部３０は、入力される映像信号に応じた画像を液晶表示部４０に表示させる。
液晶表示部４０は、液晶表示パネル（不図示）が設けられており、制御部３０からの指示に応じた輝度及び色度に従い、画像を表示する。
また、図１において、液晶表示装置１００とともに、センサ１０が示されている。センサ１０は、液晶表示部４０が表示し得るＲＧＢ表色系の３原色であるＲ（赤）、Ｇ（緑）及びＢ（青）を、それぞれ、ＸＹＺ表色系で表わされるＸ、Ｙ及びＺ値（ＸＹＺ値）に変換し、出力する。ＸＹＺ表色系とは、国際照明委員会（ＣＩＥ：Commission Internationale  de l’Eclairage）が１９３１年にＲＧＢ表色系とともに定めた表色系である。
【手続補正７】
【補正対象書類名】明細書
【補正対象項目名】００１４
【補正方法】変更
【補正の内容】
【００１４】
ＭＰＵ３２は、表示装置１００の各部を制御する機能を有するとともに、操作部２１から入力される、ユーザ（表示装置１００の製造者、表示装置１００の購入者）からの表示校正処理を開始する指令に対応して、上述した通信部２２と基準センサ１０ａまたは簡易センサ１０ｂとの間の制御信号及びＸ、Ｙ及びＺ値の授受を制御する機能を有する。
また、ＭＰＵ３２は、ユーザ（表示装置１００の製造者）からの表示校正処理を開始する指令に対応して基準センサ１０ａが出力するＸＹＺ値を、例えば、ＣＩＥ１９３１で規定されるｘｙＹ表色系で表わされるｘ、ｙ及びｚの値に変換し、第１記憶部２３へ記憶させる。
また、ＭＰＵ３２は、ユーザ（表示装置１００の購入者）からの表示校正処理を開始する指令に対応して簡易センサ１０ｂが出力するＸＹＺ値を、ｘ、ｙ及びｚ値に変換する。そして、変換されたｘ、ｙ及びｚと、第１記憶部２３に記憶されたｘ、ｙ及びｚ値とを、それぞれ比較し、簡易センサ１０ｂが劣化したか否かを判定する。
第１記憶部２３は、ＭＰＵ３２が変換したｘ、ｙ及びｚ値を、３原色であるＲ、Ｇ及びＢに関連付けて、記憶する。
第２記憶部２４は、ＭＰＵ３２が比較判定する際に用いる基準値（予め設定された許容値）を記憶する。
【手続補正８】
【補正対象書類名】明細書
【補正対象項目名】００１８
【補正方法】変更
【補正の内容】
【００１８】
ＯＳＤ機能部３５（出力部）は、映像信号コントローラ３３が出力する補正後の映像信号をＬＣＤ駆動部４２に出力し、ＬＣＤ駆動部４２によって液晶パネルを駆動させて各種情報の表示を行う。
また、ＯＳＤ機能部３５は、ＭＰＵ３２の判定結果に基づき、ＭＰＵ３２が、表示装置１００の工場出荷時における基準センサ１０ａを用いた色度及び輝度の測定結果と、表示装置１００のユーザが簡易センサ１０ｂを用いて行った色度及び輝度の測定結果が一致しないと判定した場合、警報を出力する。この警報の出力方法としては、例えば、後述する液晶表示部４０の画面上のいずれかの位置に警告を出力し、あるいは、映像信号に重ねて表されるＯＳＤ（Ｏｎ  Ｓｃｒｅｅｎ  Ｄｉｓｐｌａｙ）に警告を出力することがあげられる。
【手続補正９】
【補正対象書類名】明細書
【補正対象項目名】００２２
【補正方法】変更
【補正の内容】
【００２２】
次に、上記構成の表示装置１００において、ＭＰＵ３２がｘ、ｙ及びｚ値に基づいて、簡易センサ１０ｂの劣化により測色誤差が生じていることを検出する理由について説明する。
本願発明者の研究では、表示装置１００及び簡易センサ１０ｂを構成する光学部材のうち、簡易センサ１０ｂにおける「センサ受光部」の光学安定性が最も高く、「センサ受光部」、「カラーフィルタ」、「光源」の順に安定性が低下する。ここで、「カラーフィルタ」とは、上述の通り、簡易センサ１０ｂにおけるＸ、Ｙ及びＺフィルタ、液晶表示部４０におけるＲ、Ｇ及びＢフィルタを示す。また、「光源」とは、液晶表示部４０におけるＣＣＦＬまたは白色ＬＥＤを示す。
【手続補正１０】
【補正対象書類名】明細書
【補正対象項目名】００２３
【補正方法】変更
【補正の内容】
【００２３】
「センサ受光部」は、金属であるシリコンから構成され、その光学的特性は、他の光学的部材に比べて十分に安定である。すなわち、簡易センサ１０ｂであっても、センサ受光部の特性で決定されるリニアリティ（入力輝度に対する出力電圧など）は信頼性が高い。
【手続補正１１】
【補正対象書類名】明細書
【補正対象項目名】００２７
【補正方法】変更
【補正の内容】
【００２７】
次に、上記構成の表示装置１００において、簡易センサ１０ｂが出力するＸ、Ｙ及びＺ値から変換されたｘ、ｙ及びｚ値各々と、第１記憶部２３に記憶されたｘ、ｙ及びｚ値各々とを、比較し、簡易センサ１０ｂが劣化したか否かを判定できる原理について説明する。
ｘ、ｙ、ｚ値は、ＣＩＥ１９３１規定により、センサ１０（基準センサ１０ａ及び簡易センサ１０ｂ）が出力するＸ、Ｙ及びＺ値を用いて、以下の様に表わされる。
ｘ＝Ｘ／（Ｘ＋Ｙ＋Ｚ）、ｙ＝Ｙ／（Ｘ＋Ｙ＋Ｚ）、ｚ＝１−（ｘ＋ｙ）である。
これらのｘ、ｙ及びｚ値（以下、ｘｙｚ値）は、センサ１０（基準センサ１０ａ及び簡易センサ１０ｂ）の出力Ｘ、Ｙ及びＺの比を示している。例えば、ｘは、（１−ｙ−ｚ）として表わすことができ、出力Ｘ，Ｙ及びＺの比を示している。以下、出力Ｘ、Ｙ及びＺの比を、ＸＹＺ比と呼ぶことにする。
【手続補正１２】
【補正対象書類名】明細書
【補正対象項目名】００２８
【補正方法】変更
【補正の内容】
【００２８】
ところで、表示装置１００の色域端部となる原色（３原色Ｒ、Ｇ及びＢそれぞれの最大階調など）を、液晶表示部４０に表示させた場合、液晶表示部４０に表示される表示色は、「光源」の発光する白色光に含まれる一つの原色（単色）の輝度を有する色となる。
ここで、例えば、原色Ｒを表示させる場合、光源が発光する白色に含まれるＧ及びＢ成分は、液晶表示部４０における「カラーフィルタ」に遮断され、簡易センサ１０ｂには到達しない。
このため、「光源」の経年劣化により表示装置１００の表示画面において生じる、出力Ｒ、Ｇ及びＢの比の変化は、３原色のうちの一色しか到達しない簡易センサ１０ｂのＸＹＺ比に影響を与えることはない。
また、「光源」の経年劣化により表示装置１００の表示画面において生じる輝度低下も、簡易センサ１０ｂの出力Ｘ、Ｙ及びＺ各々に共通に現れるため、簡易センサ１０ｂのＸＹＺ比に影響を与えることはない。
【手続補正１３】
【補正対象書類名】明細書
【補正対象項目名】００３０
【補正方法】変更
【補正の内容】
【００３０】
そこで、本発明の表示装置１００においては、ＭＰＵ３２が、簡易センサ１０ｂが出力するＸ、Ｙ及びＺ値から変換されたｘ、ｙ及びｚ値各々と、第１記憶部２３に記憶されたｘ、ｙ及びｚ値各々とを、比較し、簡易センサ１０ｂが劣化したか否かを判定する。
そのため、表示装置１００のユーザは、基準センサ１０ａを所持していなくとも、簡易センサ１０ｂを所持していれば、これを用いて表示装置１００の表示を測色することで、その簡易センサ１０ｂの出力の信頼性があるか否かを判断できる。そして、信頼性がない場合、簡易センサ１０ｂを使用すべきか否か、つまり、簡易センサ１０ｂの使用の可用性を判断できることになる。
【手続補正１４】
【補正対象書類名】明細書
【補正対象項目名】００３１
【補正方法】変更
【補正の内容】
【００３１】
続いて、簡易センサ１０ｂの「カラーフィルタ」の特性劣化を検出する処理のフローを構成する手順１〜手順８について、図２及び図３を用いて説明する。
図２は、第１記憶部２３が記憶するデータのデータ構造を示す図である。第１記憶部２３は、「測定／表示色」、「ＸＹＺ比」からなる項目を有する。この図は、基準センサ１０ａが測定したＸ、Ｙ及びＺ値に基づいて、ＭＰＵ３２が算出したｘ、ｙ及びｚ値（ＸＹＺ比）を、「測定／表示色」で示す３原色のＲ、Ｇ及びＢ各々について２次元的に表した図である。例えば、第１記憶部２３において、原色のＲのｘ値として、０．５４６が記憶されていることを示している。
また、図３は、簡易センサ１０ｂが測定したＸ、Ｙ及びＺ値に基づいて、ＭＰＵ３２が算出したｘ、ｙ及びｚ値を、３原色のＲ、Ｇ及びＢ各々について２次元的に表した図である。
【手続補正１５】
【補正対象書類名】明細書
【補正対象項目名】００３３
【補正方法】変更
【補正の内容】
【００３３】
（手順１）
ＭＰＵ３２は、まず、表示装置１００の色域端部となる原色のＲに対応するするテスト信号を映像信号コントローラ３３に送信する。映像信号コントローラ３３は、ＯＳＤ機能部３５を制御して、ＬＣＤ駆動部４２によりＲの最大階調に対応する画像を液晶表示部４０に表示させる。
これにより、液晶表示部４０の画面には、一面にＲ色の画像が表示される。
【手続補正１６】
【補正対象書類名】明細書
【補正対象項目名】００３４
【補正方法】変更
【補正の内容】
【００３４】
（手順２）
ＭＰＵ３２は、通信部２２を介して、基準センサ１０ａが出力するＸ、Ｙ及びＺ値を受信し、これら３値をいったん、例えばＭＰＵ３２内部のＲ、Ｇ及びＢ毎に対応して設けられる第１レジスタＲｇ１に、Ｒに応じたＸ、Ｙ及びＺ値を記憶する。
所定期間、Ｒ色の画像を表示し、Ｘ、Ｙ及びＺ値を取得した後、制御部３０は、他の原色のＧ、Ｂについても、手順１及び手順２を実行し、それぞれの色に対応するＸ、Ｙ及びＺ値を取得し、Ｇ及びＢ毎にＸ、Ｙ及びＺ値を、第１レジスタＲｇ１に一時的に記憶させる。
【手続補正１７】
【補正対象書類名】明細書
【補正対象項目名】００３５
【補正方法】変更
【補正の内容】
【００３５】
（手順３）
ＭＰＵ３２は、原色毎に、第１レジスタＲｇ１からＸ、Ｙ及びＺ値を読み出し、これらの値からＣＩＥ１９３１のｘｙＹ表色系で規定されるｘ、ｙ及びｚ値を算出し、例えばＭＰＵ３２内部のＲ、Ｇ及びＢ毎に対応して設けられる第２レジスタＲｇ２に、各原色に応じたｘ、ｙ及びｚ値を記憶させる。
【手続補正１８】
【補正対象書類名】明細書
【補正対象項目名】００３８
【補正方法】変更
【補正の内容】
【００３８】
（手順５）
上記手順１と同様な手順を行い、液晶表示部４０の画面には、一面にＲ色の画像が表示される。
（手順６）
ＭＰＵ３２は、通信部２２を介して、簡易センサ１０ｂが出力するＸ、Ｙ及びＺ値を受信し、これら３値をいったん、例えばＭＰＵ３２内部のＲ、Ｇ及びＢ毎に対応して設けられる第１レジスタＲｇ１（手順２と同じレジスタであってよい）に、Ｒに応じたＸ、Ｙ及びＺ値を記憶する。
所定期間、Ｒ色の画像を表示し、Ｘ、Ｙ及びＺ値を取得した後、制御部３０は、他の原色のＧ、Ｂについても、手順１及び手順２を実行し、それぞれの色に対応するＸ、Ｙ及びＺ値を取得し、Ｇ及びＢ毎にＸ、Ｙ及びＺ値を、第１レジスタＲｇ１に一時的に記憶させる。
【手続補正１９】
【補正対象書類名】明細書
【補正対象項目名】００３９
【補正方法】変更
【補正の内容】
【００３９】
（手順７）
ＭＰＵ３２は、取得した原色毎に、第１レジスタＲｇ１からＸ、Ｙ及びＺ値を読み出し、これらの値からＣＩＥ１９３１のｘｙＹ表色系で規定されるｘ、ｙ及びｚ値を算出し、例えばＭＰＵ３２内部のＲ、Ｇ及びＢ毎に対応して設けられる第２レジスタＲｇ２（手順３と同じレジスタであってよい）に、各原色に応じたｘ、ｙ及びｚ値を記憶させる。
ＭＰＵ３２は、図３に示す様に、例えば、表示装置１００が表示する原色Ｒに応じたｘ＝０．５４６、ｙ＝０．４３７及びｚ＝０．０１７を算出し、内部の第２レジスタＲｇ２に記憶する。また、ＭＰＵ３２は、表示装置１００が表示する原色Ｇに応じたｘ＝０．１４０、ｙ＝０．７８１及びｚ＝０．０７９を算出し、内部の第２レジスタＲｇ２に記憶する。また、ＭＰＵ３２は、表示装置１００が表示する原色Ｂに応じたｘ＝０．１３９、ｙ＝０．０５８及びｚ＝０．８０３を算出し、内部の第２レジスタＲｇ２に記憶する。
【手続補正２０】
【補正対象書類名】明細書
【補正対象項目名】００４３
【補正方法】変更
【補正の内容】
【００４３】
その他の実施形態として、上記手順１〜８の手順４を省略し、手順８において、ｓＲＧＢなどの規格値（ＲＧＢ色空間に関する規格の規格値）と比較する構成としてもよい。
また、上記実施形態の説明において、ＭＰＵ３２は、第１記憶部２３に記憶された基準値と簡易センサ１０ｂによる測定値の変換後の値との差分を算出し、算出した差分が、第２記憶部２４に記憶された判定値以下か否かを判定した。この差分の計算の際、表示装置１００の色域を示す三角形の頂点変化量（頂点間の距離）を計算し、故障判定に用いる値としてもよい。
図４は、図２及び図３に示したｘｙ値（ｘ及びｙ値）を２次元にプロットしたグラフである。
図４は、表示装置１００が３原色であるＲ、Ｇ、及びＢ各々を表示したときのセンサ１０（基準センサ１０ａ及び簡易センサ１０ｂ）の出力をｘ及びｙに変化した値（ｘｙ値）を頂点とする三角形（表示装置１００の色域）を示している。
ＭＰＵ３２は、３原色Ｒ、Ｇ及びＢ各々に対応する頂点の距離を算出し、この算出した値が、第２記憶部２４に予め設定された色域変化量（変化許容量）より、大きい場合、ユーザに簡易センサ１０ｂの異常を知らせるための制御信号をＯＳＤ機能部３５に出力する構成としてもよい。
また、カラーセンサが出力するＸＹＺ比の表現方法は一意ではない。本文で説明したＣＩＥ１９３１規格ｘｙ値以外にも、例えばＣＩＥ１９７６規格ｕ’ｖ’値、Ｌａｂ表色系ａ，ｂ値などがあり、本提案法はいずれの表現方法に対しても適用することができる。
また、第１記憶部２３及び第２記憶部２４に設定されるデータは、直接ＸＹＺ値としてもよく、また前述のようなＸＹＺ比を示す値としても良い。
また、通常、表示装置の校正は、パソコンに接続されたカラーセンサと、パソコン内の制御ソフトウェアとで行われる。よって、本発明は、表示装置と分離されたソフトウェアで実施する構成としても良い。
【国際調査報告】
2012117492.tif 000007
2012117492.tif 000008
2012117492.tif 000009
2012117492.tif 000010